(57)【要約】【課題】  クラック誘発効果を得ながら、コンクリート構造物の断面欠損を小さく抑えることができる誘発目地プレート、およびこの誘発目地プレートを用いたコンクリート構造体のクラック誘発構造を提供する。【解決手段】  誘発目地プレート１は、短冊状の薄板２の片面に、複数のアンカー３を長手方向に並べて突設してなる。この誘発目地プレート１を、コンクリート構造体成形用の型枠内に、前記アンカー３を内向きとして型枠パネルに接して配置する。これにより、成形されるコンクリート構造体１０のクラック誘発目地を構成する。【選択図】      図２
2009264042.tif 000002
【特許請求の範囲】
【請求項１】
短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体のクラック誘発目地を構成するようにしたことを特徴とする誘発目地プレート。
【請求項２】
請求項１において、前記短冊状の薄板は樹脂または金属からなり、前記アンカーが突設された片面側に反り返った縦断面円弧状である誘発目地プレート。
【請求項３】
請求項１または請求項２において、前記アンカーが、先端に拡径頭部を有するピン状である誘発目地プレート。
【請求項４】
請求項１ないし請求項３のいずれか１項に記載の誘発目地プレートと鉄筋を含むコンクリート構造体のクラック誘発構造であって、
前記誘発目地プレートのアンカーを突設した片面が前記コンクリート構造体内を向き、その片面とは反対側の片面が、前記コンクリート構造体の外面の一部として露出するように、誘発目地プレートを縦長に配置したことを特徴とするコンクリート構造体のクラック誘発構造。                                                                    
【発明の詳細な説明】
【技術分野】
【０００１】
この発明は、型枠内に配置することで、打設後のコンクリート構造体の表面の予め想定した部位に限定してクラックを誘発させ、他の箇所でのクラックの発生を防止するための誘発目地プレート、およびこの誘発目地プレートを用いたコンクリート構造体のクラック誘発構造に関する。
【背景技術】
【０００２】
鉄筋コンクリート構造体の躯体表面では、打設したコンクリートの硬化収縮によるクラック発生が避けられないが、そのクラックが任意の多数箇所に発生すると、美観を損なうだけでなく、水の浸入による鉄筋の腐食等が生じて躯体強度の低下を招く。
そこで、このような躯体強度の低下を防止するために、図４のように、コンクリート構造体２０のコンクリート表面に縦長の溝部とした誘発目地を形成する手法が、従来より採用されている。
【特許文献１】実用新案登録第３１２１６５８号公報
【発明の開示】
【発明が解決しようとする課題】
【０００３】
しかし、図４に示した従来の誘発目地は、コンクリート構造体２０のコンクリート表面に溝部を形成するものであるため、図５に示す横断面において、誘発目地２０ａの部分が断面欠損となりやすい。コンクリート構造体２０の有効断面が確保されない場合は、コンクリートを打ち増しし、断面を大きくしなければならないが、コンクリートの打ち増しができない場合は、誘発目地を形成することができない。
【０００４】
この発明の目的は、クラック誘発効果を得ながら、コンクリート構造物の断面欠損を小さく抑えることができる誘発目地プレート、およびこの誘発目地プレートを用いたコンクリート構造体のクラック誘発構造を提供することである。
【課題を解決するための手段】
【０００５】
この発明の誘発目地プレートは、短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体のクラック誘発目地を構成するようにしたことを特徴とする。
この構成の誘発目地プレートを用いると、コンクリート構造体における各アンカーの先端が、クラックの誘発箇所となり、クラックの発生する部位を予想箇所のみに限定させ、他の箇所でのクラックの発生を防ぐことができる。この誘発目地プレートは、薄板にアンカーを突設したものであるため、誘発目地となる溝部を形成する場合に比べて、コンクリート構造体の断面欠損部を小さくすることができる。そのため、コンクリーの断面の打ち増しが不要となる。また、例えば、住宅の布基礎となるコンクリート構造体などのような、断面を変更し難い箇所にも使用することができる。誘発目地は薄板で埋まっていて、コンクリート構造体の表面に凹部ができないので、仕上げも行い易い。
【０００６】
この発明において、前記短冊状の薄板は樹脂または金属からなり、前記アンカーが突設された片面側に反り返った縦断面円弧状としても良い。
前記薄板が平板状であると、型枠の内面に沿わせたときに、型枠内面との間に隙間が生じることがあり、その隙間にコンクリートが入り込むことがある。しかし、前記薄板を、自然状態で上記のように反り返った形状としておいて両端を固定すると、薄板はその弾性に抗して型枠内面に押し付けられた状態となり、隙間が生じない。そのため、薄板の表面にコンクリートが被さることがなく、コンクリート構造体の表面に綺麗に薄板を露出させることができる。
【０００７】
この発明において、前記アンカーが、先端に拡径頭部を有するピン状であっても良い。  アンカーが先端に拡径頭部を有するピン状であると、コンクリート構造体から抜け難くて、誘発目地プレートをコンクリートに確実に定着させることができる。
【０００８】
この発明のコンクリート構造体のクラック誘発構造は、この発明における上記のいずれかの誘発目地プレートと鉄筋を含むコンクリート構造体のクラック誘発構造であって、前記誘発目地プレートのアンカーを突設した片面が前記コンクリート構造体内を向き、その片面とは反対側の片面が、前記コンクリート構造体の外面の一部として露出するように、誘発目地プレートを縦長に配置したことを特徴とする。
この構成によると、コンクリートの硬化収縮によるクラックを、誘発目地プレートにより構成される目地部分に限定して誘発させることができ、かつ断面欠損も小さく抑えることができて、有効断面を得るためのコンクリートの打ち増しが不要となる。また、コンクリート構造体の表面にクラック誘発目地としての凹部ができないので、仕上げが容易となる。
【発明の効果】
【０００９】
この発明の誘発目地プレートは、短冊状の薄板の片面に、複数のアンカーを長手方向に並べて突設してなり、コンクリート構造体成形用の型枠内に、前記アンカーを内向きとして型枠パネルに接して配置することで、成形される前記コンクリート構造体のクラック誘発目地を構成するようにしたため、クラックの発生部位を予め特定箇所に限定するクラック誘発効果を得ながら、コンクリート構造体の断面欠損を小さく抑えることがでる。そのため、有効断面を得るためのコンクリートの打ち増しが不要となり、住宅の基礎等の断面を変更し難い箇所にも適用でき、仕上げも容易となる。
この発明のコンクリート構造体のクラック誘発構造は、この発明の誘発目地プレートを外面の一部として露出するように配置したため、クラックの発生部位を予め特定箇所に限定するクラック誘発効果を得ながら、断面欠損を小さく抑えることができて、有効断面を得るためのコンクリートの打ち増しが不要となり、仕上げも容易となる。
【発明を実施するための最良の形態】
【００１０】
この発明の一実施形態を図１ないし図３と共に説明する。図１（Ａ）はこの実施形態の誘発目地プレートの斜視図を示し、図１（Ｂ），（Ｃ）はその側面図および正面図を示す。この誘発目地プレート１は、短冊状の薄板２の片面に、複数のアンカー３を長手方向に並べて突設したものである。短冊状の薄板２は、弾性を有する材質、例えば樹脂板や金属板からなる。図１（Ｂ）のように、薄板２は、アンカー３が突設された片面側に反り返った縦断面円弧状に形成されている。アンカー３は、図示の例では、２列に設けているが、１列であっても、３列以上であっても良い。アンカー３は、先端に拡径頭部３ａを有するピン状とされている。なお、アンカー３は、ピン状に限らず、爪片状や、ブロック状、あるいはその他の種々の形状が採用できる。
【００１１】
図２は、前記誘発目地プレート１を用いてコンクリート構造体にクラック誘発構造を構成する施工手順の一例を示す。例えばコンクリート構造体として、住宅等の建物の布基礎を成形する場合、先ず図２（Ａ）のようにコンクリート打設前の型枠４内に、その型枠パネル５に接するように誘発目地プレート１を縦長に配置する。
【００１２】
このとき、誘発目地プレート１は、そのアンカー３が内向きとなるように配置し、その上下端を図２（Ｂ）のように固定金具６を用いて型枠４の上下端に固定する。誘発目地プレート１の薄板２は可撓性を有する樹脂や金属からなり、円弧状に沿った形状とされているので、上下端を型枠４の上下端に固定することにより、型枠パネル５の内面から浮き上がり部分を生じることなく、確実に接触させることができる。
誘発目地プレート１を配置する位置は、成形されるコンクリート構造体１０（図３）の表面における予めクラックの誘発を想定した部位とする。
【００１３】
この後、図２（Ｃ）のように、前記誘発目地プレート１のほかに配筋７等を配置してから、型枠４内にコンクリート８を打設する。このようにして成形されたコンクリート構造体１０では、図３に横断面図で示すように、誘発目地プレート１のアンカー３を突設した片面とは反対側の片面が、コンクリート構造体１０の外面の一部として縦長に露出する。これにより、誘発目地プレート１がコンクリート構造体１０のクラック誘発目地を構成する。この場合、誘発目地プレート１のアンカー３は、その先端に拡径頭部３ａを有するピン状とされているので、誘発目地プレート１をコンクリート８に確実に定着させることができる。
【００１４】
上記構成の誘発目地プレート１を用いると、コンクリート構造体１０における各アンカー３の先端が、クラックａの誘発箇所となり、クラックａの発生する部位を予想箇所のみに限定させ、他の箇所でのクラックの発生を防ぐことができる。この誘発目地プレート１は、薄板２にアンカー３を突設したのものであるため、誘発目地となる溝部を形成する場合に比べて、コンクリート構造体１０の断面欠損部を小さくすることができる。そのため、有効断面を確保するためのコンクリー断面の打ち増しが不要となる。また、例えば、住宅の布基礎となるコンクリート構造体などのような、断面を変更し難い箇所にも使用することができる。誘発目地は薄板で埋まっていて、コンクリート構造体１０の表面に凹部ができないので、仕上げも行い易い。
【図面の簡単な説明】
【００１５】
【図１】（Ａ）はこの発明の一実施形態にかかる誘発目地プレートの斜視図、（Ｂ），（Ｂ），（Ｃ）はその側面図および正面図である。
【図２】同誘発目地プレートを用いてコンクリート構造体にクラック誘発構造を構成する施工手順の一例を示す説明図である。
【図３】同施工手順により得られたコンクリート構造体の横断面図である。
【図４】従来例の説明図である。
【図５】従来例による断面欠損の説明図である。
【符号の説明】
【００１６】
１…誘発目地プレート
２…薄板
３…アンカー
３ａ…アンカーの拡径頭部
４…型枠
５…型枠パネル
１０…コンクリート構造体
【図１】
2009264042.tif 000003
【図２】
2009264042.tif 000004
【図３】
2009264042.tif 000005
【図４】
2009264042.tif 000006
【図５】
2009264042.tif 000007